(57)【特許請求の範囲】
【請求項１】
画像の印刷を行う印刷装置であって、
課金引き落とし手段受入れ部と、
前記課金引き落とし手段受入れ部に挿入された課金引き落とし手段から課金情報を読み出し、前記課金引き落とし手段から課金情報を消去し、課金情報を前記課金引き落とし手段に書き戻すことができる課金情報読書き部と、
課金情報を記憶することができる課金情報記憶部と、
前記印刷の前に、前記課金情報読書き部により前記課金引き落とし手段から所定数量分の課金情報を読み出し、前記所定数量分の課金情報を前記課金情報記憶部に記憶させ、前記課金情報読書き部により前記課金引き落とし手段から前記所定数量分の課金情報を消去する仮引き落とし部と、
印刷制御部から出力される印刷駆動信号を取得する印刷駆動信号取得部と、
取得された前記印刷駆動信号を課金情報に換算する印刷駆動信号換算部と、
前記課金情報記憶部に記憶された前記課金情報から前記印刷駆動信号換算部で換算された前記課金情報を減算する演算部と、
を備え、
前記演算部の計算結果に基づいて、残りの課金情報を、前記課金情報読書き部を介して前記課金引き落とし手段に書き戻す、印刷装置。
【請求項２】
請求項１に記載の印刷装置において、
前記課金引き落とし手段は、プリペイドカードである印刷装置。
【請求項３】
請求項１または請求項２に記載の印刷装置において、
前記印刷装置は、インクジェット印刷装置から成り、
前記印刷駆動信号は、前記インクジェット印刷装置における印字ノズル駆動信号である印刷装置。
【請求項４】
請求項３に記載の印刷装置において、
前記所定量分の課金情報が、前記印刷駆動信号換算で１ラスタ印刷に要する駆動量に相当する量の課金情報である印刷装置。
【請求項５】
請求項１または請求項２に記載の印刷装置において、
前記印刷装置は、レーザビーム式印刷装置から成り、
前記印刷駆動信号は、前記レーザビーム式印刷装置におけるレーザパルス駆動信号である印刷装置。
【請求項６】
請求項５に記載の印刷装置において、
前記所定量分の課金情報が、前記印刷駆動信号換算で１ページ印刷に要する駆動量に相当する量の課金情報である印刷装置。
【請求項７】
印刷部によって画像の印刷を行う印刷装置であって、
プリペイドカードにアクセスするためのプリペイドカードアクセス部と、
前記印刷部に供給する駆動信号に基づいて、印刷量に関係する測定値を導き出す印刷制御部と、
導き出した前記測定値に基づいて、アクセスした前記プリペイドカードに記憶されたクレジットの残量を増減させる制御部と、
を備え、
前記制御部は、
前記印刷の前に、前記プリペイドカードアクセス部により前記プリペイドカードから所定数量分のクレジットを読み出し、前記プリペイドカードアクセス部により前記プリペイドカードから前記所定数量分のクレジットを消去し、
前記測定値をクレジットに換算し、
前記プリペイドカードから読み出した前記所定数量分のクレジットから、前記換算されたクレジットを減算し、
残りのクレジットを、前記プリペイドカードアクセス部を介して前記プリペイドカードに書き戻す、印刷装置。
【請求項８】
請求項７に記載の印刷装置において、
前記印刷部は、インクジェットヘッドを備え、
前記印刷制御部は、前記インクジェットヘッドに供給する駆動信号に基づいて、前記インクジェットヘッドにおけるヘッドショット数をカウントし、カウントした前記ヘッドショット数を前記測定値として導き出すことを特徴とする印刷装置。
【請求項９】
請求項７に記載の印刷装置において、
前記印刷部は、感光体に光線を照射する光源を備え、
前記印刷制御部は、前記光源に供給する駆動信号に基づいて、前記光源からの前記光線の照射時間を積算し、積算した前記照射時間を前記測定値として導き出すことを特徴とする印刷装置。
【請求項１０】
印刷部によって画像の印刷を行う印刷装置であって、
当該印刷装置に対し、プリペイドカードがアクセス可能に配置された場合に、
前記印刷の前に、前記プリペイドカードから所定数量分のクレジットを読み出し、前記プリペイドカードから前記所定数量分のクレジットを消去し、
前記印刷部に供給する駆動信号に基づいて、印刷量に応じたクレジットを計算し、
前記プリペイドカードから読み出した前記所定数量分のクレジットから、前記計算されたクレジットを減算し、
残りのクレジットを、前記プリペイドカードに書き戻す、印刷装置。
【請求項１１】
画像の印刷を行う印刷装置の制御方法であって、
（ａ）課金引き落とし手段受入れ部に挿入された課金引き落とし手段から所定数量分の課金情報を読み出す工程と、
（ｂ）読み出した前記課金情報を課金情報記憶部に記憶する工程と、
（ｃ）前記印刷の前に、前記課金引き落とし手段から前記所定数量分の課金情報を消去する工程と、
（ｄ）印刷制御部から出力される印刷駆動信号を取得する工程と、
（ｅ）取得された前記印刷駆動信号を課金情報に換算する工程と、
（ｆ）前記課金情報記憶部に記憶された前記課金情報から、換算された前記課金情報を減算する工程と、
（ｇ）前記工程（ｆ）の計算結果に基づいて残りの課金情報を前記課金引き落とし手段に書き戻す工程と、
を備える制御方法。
【請求項１２】
印刷部によって画像の印刷を行う印刷装置の制御方法であって、
（ａ）プリペイドカードにアクセスし、前記印刷の前に、前記プリペイドカードから所定数量分のクレジットを読み出し、前記プリペイドカードから前記所定数量分のクレジットを消去する工程と、
（ｂ）前記印刷部に供給する駆動信号に基づいて、印刷量に関係する測定値を導き出す工程と、
（ｃ）導き出した前記測定値に基づいて、アクセスした前記プリペイドカードに記憶されたクレジットの残量を増減させる工程と、
を備え、
前記工程（ｃ）は、
（ｃ１）前記測定値をクレジットに換算する工程と、
（ｃ２）前記プリペイドカードから読み出した前記所定数量分のクレジットから、前記換算されたクレジットを減算する工程と、
（ｃ３）残りのクレジットを、前記プリペイドカードに書き戻す工程と、を備える、制御方法。
【請求項１３】
印刷装置で行われる画像の印刷に対し課金を行うための印刷課金方法であって、
（ａ）プリペイドカードを有償で提供する工程と、
（ｂ）提供されたプリペイドカードを、前記印刷装置に対して、前記印刷装置からアクセスされ得るように配置する工程と、
（ｃ）前記印刷装置において所定量の印刷が完了するたびに、その印刷量に応じたクレジットを、前記印刷装置からのアクセスによって、前記プリペイドカードから引き落とす工程と、
を備え、
前記工程（ｃ）は、
（ｃ１）前記印刷の前に、前記プリペイドカードから所定数量分のクレジットを読み出し、前記プリペイドカードから前記所定数量分のクレジットを消去する工程と、
（ｃ２）前記印刷装置における駆動信号に基づいて、印刷量に応じたクレジットを計算する工程と、
（ｃ３）前記プリペイドカードから読み出した前記所定数量分のクレジットから、前記計算されたクレジットを減算する工程と、
（ｃ４）残りのクレジットを、前記プリペイドカードに書き戻す工程と、を備える、印刷課金方法。
【発明の詳細な説明】
【技術分野】
【０００１】
本発明は、画像の印刷を行う際に、プリペイドカードを利用して課金処理を行う技術に関するものである。
【背景技術】
【０００２】
Ｘｅｒｏｘ社が提案したコピー機の課金方法が、２０世紀来の事務機器工業界で慣用されてきた。この課金方法としては、次の２つの方法が採られてきた。
【０００３】
１．カウンタチャージによるページ単位の課金
２．トナー（インク）供給による消耗品販売を介した課金
近年では、コンピュータ用のプリンタの台頭によって、これらの課金から、課金方法そのものを変える動きがある。
【０００４】
一つは、Ｐａｙ  Ｐｅｒ  Ｐｒｉｎｔ方式と呼ばれるもので、これは前述のＸｅｒｏｘ社の提案した課金方法１を再現したものである。メーカ側は、装置や消耗品を無償もしくは安い価格で市場に供給し、１ページ印刷する毎に所定の金額を課金するようにする。この方法によれば、利益の元となる課金ベースが消耗品価格に上乗せされないために、消耗品はユーザに負担の少ない価格で流通可能であり、しかも、印刷したページ数毎に課金されるのでユーザの不利益が少ない。
【０００５】
しかし、この方法の実現には、１ページの印刷完了をどのように認知し、確実に該当ページが印刷されたかどうかを、どのように保証するか、などの「処理済みの確認」に関する問題を抱えている。例えば、印刷途中で紙ジャムが発生した場合、そのページは課金対象からはずさなければならない。また、１ページ印刷完了する以前にトナー（インク）切れになった場合、そのリカバリー手段をどうするか、そのときの課金をどのように処理するか、など、検討しなければならない課題が多い。
【０００６】
また、不正な利用に対する対応も難しい。例えば、Ａ４サイズで１ページだけの原稿を印刷するのに、Ａ３サイズの用紙にＡ４見開き２ページで割り付けて印刷開始し、所望の原稿ページの印刷が完了した時点（Ａ３用紙の半分までの処理が完了した時点）でプリンタの電源が切られ、その印刷された用紙が取り出された場合、１ページ印刷が完了したとは言えないので、課金できないまま、不正に利用されることになる。これを防ぐために、原稿のデータを解析して原稿データ単位で課金する方法も考えられるが、そうすると、印刷出力物が、先に挙げたような紙ジャムやトナー（インク）切れによって正常に得られなかった場合に課金しないようにする必要があり、そのためのシステム構築が非常に複雑かつ煩雑になり、実現が困難であった。
【０００７】
このほかに、Ｐａｙ  Ｐｅｒ  Ｐｒｉｎｔ方式ではなく、Ｐａｙ  Ｐｅｒ  Ｐｒｏｃｅｓｓ方式として、所定のプロセス単位に課金する方法も幾つか提案されている。例えば、消耗品の消費量を正確に測定し、これに応じて課金する方法である。トナーやインクの使用量を測定し、従量課金する方法には、様々な提案がなされてきている。この方法では、課金自体がプロセスの稼動に応じて実行されるので、Ｐａｙ  Ｐｅｒ  Ｐｒｉｎｔの場合と同様に、消耗品はユーザに負担の少ない価格で流通可能であり、しかも、印刷した処理量毎に課金されるので、ユーザの不利益が少ない。更には、１ページという印刷出力物に対する保証単位を持たないので、Ｐａｙ  Ｐｅｒ  Ｐｒｉｎｔ方式のような煩雑な管理システムを必要としない。Ｐａｙ  Ｐｅｒ  Ｐｒｏｃｅｓｓ方式に関する既提案例としては、例えば、下記の特許文献１に記載のものが挙げられる。
【０００８】
この文献には、プリンタの使用量に応じた従量課金、具体的には、各色インクのドットカウント数に応じた課金の仕方が開示されている。
【０００９】
【特許文献１】特開２００２−２１５３６８号公報
【発明の開示】
【発明が解決しようとする課題】
【００１０】
しかし、Ｐａｙ  Ｐｅｒ  Ｐｒｉｎｔ方式もＰａｙ  Ｐｅｒ  Ｐｒｏｃｅｓｓ方式も、共に抱えている共通の問題として、消耗品の流通に応じた利益の還元に関する仕組みに大きな問題がある。これら両方式では、ユーザからの利用料の支払いの発生が印刷後となり、利用料の回収をするための仕組みを創出しなければならない。Ｘｅｒｏｘ社のシステムでは、コピー機にインクリメンタルカウンタを装備し、サービスマンがそのカウンタを定期的に点検しに行って課金額をユーザに請求する方法、または、サービスマンの訪問の代わりに、オンラインでカウンタ値を取得して、課金額をユーザに請求する方法が採られている。
【００１１】
近年提案されているものとしては、後者のオンラインチェックによる課金方法が主であり、これに伴って、Ｐａｙ  Ｐｅｒ  Ｐｒｉｎｔ方式の抱える様々な問題を、コピー機のステータスログなどを参照することにより、解決すること（例えば、紙ジャムのログが残っていたら、その分のカウンタ数を差し引くなど）が提案されてきている。
【００１２】
また、回収された料金に応じた利益を、販売店などの仲介業者に還元する方法も考えなければならない。上記した両方式では、回収した料金をどこの仲介業者に還元したらよいのかを管理するために、仲介業者のＩＤや、所定のプリンタの利用に伴う回収金額に関わった業者がだれなのかを管理できるようなシステムを構築して、管理、維持しなければならない。
【００１３】
これらの問題は、プリンタの構成自身が抱えている問題ではないにしても、プリンタの継続的利用をサポートするサービス体制全体を鑑みる時に、無視できない問題となる。具体例としては、課金方法をどのように変えるにしても、消耗品の流通は、ユーザビリティの観点から十分に簡単にユーザが消耗品を入手できる形で、実現されていなければならない。例えば、インクが無くなった時にオンラインで注文して、翌日または翌々日にならないと届かない、というような状態では、ユーザにとって不便である。このような流通の問題を解決する方法としては、消耗品が無くなる日を予測して、事前に購入を促したりユーザに届けるシステムが提案されている。しかし、こういった予測システムの運用のためには、消耗品の無くなる日を予測する仕組みをどこかに設ける必要があると共に、その結果に応じて、消耗品供給者側からユーザに何らかの警告ないしはサービスを与える仕組みが必要となる。従って、最も理想的なのは、ユーザが最寄の販売店でいつでも必要な消耗品を入手できる体制を維持することである。しかし、上記した両方式の場合、消耗品の供給自体によって利益が発生しないため、消耗品を流通すること自体は利益につながらない。ユーザ最寄の販売店が消耗品の流通に関与するためには、消耗品の流通を促し、かつ、販売店に利益をもたらす新たな仕組みが必要とされる。
【００１４】
従って、本発明の目的は、上記した従来技術の問題点を解決し、消耗品の流通を促し、かつ、販売店に利益をもたらすことが可能な技術を提供することにある。
【課題を解決するための手段】
【００１５】
上記した目的の少なくとも一部を達成するために、本発明の第１の印刷装置は、画像の印刷を行う印刷装置であって、
課金引き落とし手段受入れ部と、
前記課金引き落とし手段受入れ部に挿入された課金引き落とし手段から課金情報を読み書きする課金情報読出し部と、
読み出した前記課金情報を記憶する課金情報記憶部と、
印刷制御部から出力される印刷駆動信号を取得する印刷駆動信号取得部と、
取得された前記印刷駆動信号を前記課金情報に換算する印刷駆動信号換算部と、
前記課金情報記憶部に記憶された前記課金情報から前記印刷駆動信号換算部で換算された前記課金情報を加減算する演算部と、
を備えることを要旨とする。
【００１６】
このように、本発明の第１の印刷装置においては、課金情報読出し部が、課金引き落とし手段受入れ部に挿入された課金引き落とし手段から課金情報を読み書きし、課金情報記憶部が、読み出した課金情報を記憶する。そして、印刷駆動信号取得部が、印刷制御部から出力される印刷駆動信号を取得し、印刷駆動信号換算部が、その印刷駆動信号を課金情報に換算する。さらに、演算部が、課金情報記憶部に記憶された課金情報から印刷駆動信号換算部で換算された課金情報を加減算する。
【００１７】
このような構成の第１の印刷装置を導入して、課金引き落とし手段から印刷量に応じた課金情報の引き落としを行うことにより、印刷に関する課金を、消耗品販売によってではなく、課金引き落とし手段の販売によって行うことができる。そのため、消耗品をユーザに負担の少ない価格で流通させることができる。また、販売店については、消耗品の流通によって利益が得られなくても、課金引き落とし手段の販売によって利益を得ることができるため、消耗品の流通を促し、かつ、販売店にも利益をもたらすことが可能となる。
【００１８】
本発明の第１の印刷装置において、前記課金引き落とし手段はプリペイドカードであることが好ましい。
プリペイドカードは、取り扱いやすく、しかも、課金情報のやり取りを容易に行うことができるからである。
【００１９】
本発明の第１の印刷装置において、前記印刷装置は、インクジェット印刷装置から成り、
前記印刷駆動信号は、前記インクジェット印刷装置における印字ノズル駆動信号であってもよい。
印刷装置がインクジェット印刷装置である場合、印刷駆動信号としては、印字ノズル駆動信号が用いられるからである。
【００２０】
本発明の第１の印刷装置において、前記課金情報の読出し単位が、前記印刷駆動信号換算で１ラスタ印刷に要する駆動量に相当する量であることが好ましい。
印刷装置がインクジェット印刷装置である場合、１ラスタ単位での課金が、課金管理上、適していると考えられるからである。
【００２１】
本発明の第１の印刷装置において、前記印刷装置は、レーザビーム式印刷装置から成り、
前記印刷駆動信号は、前記レーザビーム式印刷装置におけるレーザパルス駆動信号であってもよい。
印刷装置がレーザビーム式印刷装置である場合、印刷駆動信号としては、レーザパルス駆動信号が用いられるからである。
【００２２】
本発明の第１の印刷装置において、前記課金情報の読出し単位が、前記印刷駆動信号換算で１ページ印刷に要する駆動量に相当する量であることが好ましい。
印刷装置がレーザビーム式印刷装置である場合、１ページ単位での課金が、課金管理上、適していると考えられるからである。
【００２３】
本発明の第１の印刷装置において、前記演算部の計算結果に基づいて残りの課金情報を前記課金引き落とし手段に書き戻すことが好ましい。
このように残りの課金情報を課金引き落とし手段に書き戻すことにより、課金引き落とし手段が、印刷装置から取り外されても、課金情報が印刷装置内に残ることがない。
【００２４】
本発明の第２の印刷装置は、印刷部によって画像の印刷を行う印刷装置であって、
プリペイドカードにアクセスするためのプリペイドカードアクセス部と、
前記印刷部に供給する駆動信号に基づいて、印刷量に関係する測定値を導き出す印刷制御部と、
導き出した前記測定値に基づいて、アクセスした前記プリペイドカードに記憶されたクレジットの残量を増減させる制御部と、
を備えることを要旨とする。
【００２５】
このように、第２の印刷装置では、プリペイドカードアクセス部が、プリペイドカードにアクセスすると共に、印刷の際に、印刷制御部が、印刷部に供給する駆動信号に基づいて、そのときの印刷量に関係する測定値を導き出し、制御部が、導き出した測定値に基づいて、アクセスしたプリペイドカードに記憶されているクレジットの残量を増減させるようにしている。ここで、クレジットとは、金銭の量を、課金情報として記憶したものをいう。
【００２６】
このような構成の第２の印刷装置を導入して、プリペイドカードから印刷量に応じたクレジットの引き落としを行うことにより、印刷に関する課金を、消耗品販売によってではなく、プリペイドカードの販売によって行うことができる。そのため、消耗品をユーザに負担の少ない価格で流通させることができる。また、販売店については、消耗品の流通によって利益が得られなくても、プリペイドカードの販売によって利益を得ることができるため、消耗品の流通を促し、かつ、販売店にも利益をもたらすことが可能となる。
【００２７】
本発明の第２の印刷装置において、前記印刷部は、インクジェットヘッドを備え、前記印刷制御部は、前記インクジェットヘッドに供給する駆動信号に基づいて、前記インクジェットヘッドにおけるヘッドショット数をカウントし、カウントした前記ヘッドショット数を前記測定値として導き出すようにしてもよい。
【００２８】
このように、印刷装置が、いわゆるインクジェット方式の場合、インクジェットヘッドにおけるヘッドショット数が、実際の印刷量を反映している指標の一つであると考えられるからである。
【００２９】
本発明の第２の印刷装置において、前記印刷部は、感光体に光線を照射する光源を備え、前記印刷制御部は、前記光源に供給する駆動信号に基づいて、前記光源からの前記光線の照射時間を積算し、積算した前記照射時間を前記測定値として導き出すようにしてもよい。
【００３０】
このように、印刷装置が、いわゆるレーザ方式の場合、光源からの光線の、積算した照射時間が、実際の印刷量を反映している指標の一つであると考えられるからである。
【００３１】
本発明の第３の印刷装置は、画像の印刷を行う印刷装置であって、
当該印刷装置に対し、プリペイドカードがアクセス可能に配置された場合に、所定量の印刷が完了するたびに、その印刷量に応じたクレジットを、前記プリペイドカードにアクセスすることにより、前記プリペイドカードから引き落とすことを要旨としている。
【００３２】
このように、第２の印刷装置を導入して、アクセス可能に配置されたプリペイドカードから、印刷量に応じたクレジットの引き落としを行うことにより、第１の印刷装置の場合と同様に、印刷に関する課金をプリペイドカードの販売によって行うことができる。従って、販売店については、消耗品の流通によって利益が得られなくても、プリペイドカードの販売によって利益を得ることができるため、消耗品の流通を促し、かつ、販売店にも利益をもたらすことが可能となる。
【００３３】
本発明のプリペイドカードは、画像の印刷を行う印刷装置に用いられるプリペイドカードであって、
前記印刷装置における印刷量に応じて増減され得るクレジットの情報と、
当該プリペイドカードを適用することが可能な前記印刷装置の機種を示す機種情報と、
正規のプリペイドカードであることを示す認証情報と、
を記憶したことを要旨とする。
【００３４】
このように、印刷装置における印刷量に応じて増減され得るクレジットの情報を含むことによって、かかるプリペイドカードを用いて、印刷装置で行われる画像の印刷に対し課金処理を行うことができる。また、機種情報と認証情報とを含むことによって、かかるプリペイドカードを印刷装置に用いる場合に、その印刷装置に適合するかどうかを、それら情報から容易に判断することが可能となる。
【００３５】
本発明の第１の制御方法は、画像の印刷を行う印刷装置の制御方法であって、
（ａ）課金引き落とし手段受入れ部に挿入された課金引き落とし手段から課金情報を読み書きする工程と、
（ｂ）読み出した前記課金情報を課金情報記憶部に記憶する工程と、
（ｃ）印刷制御部から出力される印刷駆動信号を取得する工程と、
（ｄ）取得された前記印刷駆動信号を前記課金情報に換算する工程と、
（ｅ）前記課金情報記憶部に記憶された前記課金情報から、換算された前記課金情報を加減算する工程と、
を備えることを要旨とする。
【００３６】
印刷装置に対し、このような制御方法を採ることにより、前述した第１の印刷装置と同様の作用及び効果を奏することができる。
【００３７】
本発明の第２の制御方法は、印刷部によって画像の印刷を行う印刷装置の制御方法であって、
（ａ）プリペイドカードにアクセスする工程と、
（ｂ）前記印刷部に供給する駆動信号に基づいて、印刷量に関係する測定値を導き出す工程と、
（ｃ）導き出した前記測定値に基づいて、アクセスした前記プリペイドカードに記憶されたクレジットの残量を増減させる工程と、
を備えることを要旨とする。
【００３８】
印刷装置に対し、このような制御方法を採ることにより、前述した第２の印刷装置と同様の作用及び効果を奏することができる。
【００３９】
本発明の印刷課金方法は、印刷装置で行われる画像の印刷に対し課金を行うための印刷課金方法であって、
（ａ）プリペイドカードを有償で提供する工程と、
（ｂ）提供されたプリペイドカードを、前記印刷装置に対して、前記印刷装置からアクセスされ得るように配置する工程と、
（ｃ）前記印刷装置において所定量の印刷が完了するたびに、その印刷量に応じたクレジットを、前記印刷装置からのアクセスによって、前記プリペイドカードから引き落とす工程と、
を備えることを要旨とする。
【００４０】
このような印刷課金方法を採ることによって、前述した第３の印刷装置の場合と、同様の効果を奏することが可能となる。
【００４１】
なお、本発明は、上記した印刷装置などの装置発明の態様や制御方法などの方法発明としての態様に限ることなく、その他の態様で実現することも可能である。例えば、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【発明を実施するための最良の形態】
【００４２】
以下、本発明の実施の形態を実施例に基づいて以下の順序で説明する。
Ａ．実施例の構成：
Ｂ．実施例の動作：
Ｃ．実施例の効果：
Ｄ．変形例：
【００４３】
Ａ．実施例の構成：
図１は本発明の一実施例としての印刷装置の構成を示すブロック図である。本実施例の印刷装置１００は、インクジェット複合機であって、図１に示すように、主として、ファームウェアなどのプログラムに従って各構成部の制御や種々の処理を行うＣＰＵ１０２と、上記プログラムを格納すると共に、種々のデータを記憶するメモリ１０４と、操作パネルなどから成り、ユーザからの種々の指示を受け付けるための操作部１０６と、液晶パネルなどから成り、ユーザに種々の情報を報知するための表示部１０８と、その表示部１０８を制御するための表示制御部１１０と、プリペイドカードスロット（図示せず）に挿入されたプリペイドカード１２８を装着するためのプリペイドカード装着部１１２と、プリペイドカード１２８に記憶されたクレジットを読み書きするためのプリペイドカード制御部１１４と、メモリカードスロット（図示せず）に挿入されたメモリカード１３０を接続するためのメモリカード接続部１１６と、メモリカード１３０に記録された画像データなどを読み書きするためのメモリカード制御部１１８と、シアン，マゼンタ，イエロ，ブラックの各インクが充填された４つのインクカートリッジ１２０と、それらインクカートリッジが装着され、インク色毎に複数のノズルを有するインクジェットヘッド１２２と、インクジェットヘッド１２２の移動や用紙送りなどを行う印刷機構部１２４と、インクジェットヘッド１２２及び印刷機構部１２４を制御すると共に、各インクカートリッジ１２０の内部に設けられたＩＣチップ１２０ａに対し、インク残量などの情報を読み書きするための印刷制御部１２６と、を備えている。その他、この印刷装置１００は、原稿などを読み取るためのスキャナ部、スキャナ制御部、コンピュータなどをＵＳＢを介して接続するためのＵＳＢデバイスコネクタ、ＵＳＢデバイスコントローラ、デジタルカメラなどをＵＳＢを介して接続するためのＵＳＢホストコネクタ、ＵＳＢホストコントローラ、赤外線信号を受信するためのＩｒＤＡ受信部、ＩｒＤＡコントローラなども備えるが、図１では省略されている。
【００４４】
本実施例の印刷装置１００は、プリペイドカード１２８が挿入され、印刷時にインクジェットヘッド１２２におけるヘッドショット数をカウントし、得られたヘッドショット数に応じたクレジットをプリペイドカード１２８から引き落とすようにすることを特徴としている。なお、本実施例において、インクジェットヘッド１２２などは、請求項における印刷部に、プリペイドカード制御部１１４，プリペイドカード装着部１１２は、請求項におけるプリペイドカードアクセス部に、印刷制御部１２６は、請求項における印刷制御部に、ＣＰＵ１０２は、請求項における制御部に、それぞれ対応している。
【００４５】
本実施例の前提として、消耗品であるインクカートリッジ１２０は、図２に示すようにして、メーカから販売店を介してユーザに販売される。また、印刷装置１００に用いられるプリペイドカード１２８も、同じ販売ルート、すなわち、メーカから販売店を介してユーザに販売される。従って、ユーザは、インク切れの場合には、販売店からインクカートリッジ１２０を購入し、また、印刷に必要なプリペイドカード１２８は、印刷に先立ち、販売店から購入しておく。購入したプリペイドカード１２８には、一定量のクレジットが暗号化されて記憶されている。プリペイドカード１２８には、この他、正規のプリペイドカードであることを示す認証情報が記憶されている。また、適用可能な複合機やプリンタの機種を示す機種情報などを記憶しておいても良い。
【００４６】
Ｂ．実施例の動作：
それでは、本実施例の印刷装置１００の動作について説明する。例えば、デジタルカメラなどで撮影されメモリカード１３０に記録された画像データを、印刷する場合を例に挙げて説明する。
【００４７】
まず、ユーザが、画像データの記録されたメモリカード１３０を、印刷装置１００のメモリカードスロットに挿入すると、そのメモリカード１３０はメモリカード接続部１１６に接続される。ＣＰＵ１０２は、メモリカード制御部１１８，メモリカード接続部１１６を介して、メモリカード１３０に記録された画像データを読み出し、それら画像データからプレビュー画像を生成して、表示制御部１１０を介して表示部１０８に表示させる。ユーザは、表示部１０８に表示されたプレビュー画像を見ながら、操作部１０６を操作して、印刷すべき画像データを選択し、その後、その画像データについて印刷を指示すると、図３及び図４に示す課金・印刷処理が開始される。
【００４８】
図３及び図４は図１の印刷装置１００で実行される課金・印刷処理の流れを示すフローチャートである。図３に示す処理が開始されると、まず、ＣＰＵ１０２は、印刷すべき画像データを、メモリカード１３０からメモリカード接続部１１６，メモリカード制御部１１８を介して、メモリ１０４のバッファメモリ領域に記憶させる（ステップＳ１０２）。
【００４９】
次に、ＣＰＵ１０２は、プリペイドカード制御部１１４を介して、プリペイドカードスロットにプリペイドカード１２８が挿入されているか否かを検出し、挿入されていない場合には、表示制御部１１０を介して、表示部１０８に、「プリペイドカードを挿入してください。」などのメッセージを表示させる（ステップＳ１０６）。
【００５０】
既にプリペイドカードが挿入されているか、または、カード挿入要求に基づきユーザによりプリペイドカードが挿入された場合には、次に、ＣＰＵ１０２は、プリペイドカード制御部１１４，プリペイドカード装着部１１２を介して、プリペイドカード１２８にアクセスし、そのプリペイドカード１２８から機種情報と認証情報とを読み出して、それら情報に基づいて、そのプリペイドカード１２８が当該印刷装置１００に適合するプリペイドカードであるか否かを判定する（ステップＳ１０８）。
【００５１】
判定の結果、適合するプリペイドカードでない場合には、ＣＰＵ１０２は、表示部１０８に「このプリペイドカードはこの複合機に適合していません。」などのメッセージを表示させ（ステップＳ１１０）、その後、プリペイドカード制御部１１４によってプリペイドカード１２８を排出させ（ステップＳ１１２）、一連の処理を終了する。
【００５２】
ステップＳ１０８の判定の結果、適合するプリペイドカードである場合には、ＣＰＵ１０２は、プリペイドカード制御部１１４，プリペイドカード装着部１１２を介して、プリペイドカード１２８にアクセスし、プリペイドカード１２８から、記憶されているクレジットの残量を読み出す（ステップＳ１１４）。なお、記憶されているクレジットの情報は暗号化されているので、その都度、ＣＰＵ１０２は、読み出したクレジットの情報を復号化する。そして、ＣＰＵ１０２は、その読み出したクレジットの残量がゼロより大きいか否かを判定し（ステップＳ１１６）、残量がゼロであれば、表示部１０８に「このプリペイドカードにはクレジット残量がありません。」などのメッセージを表示させ（ステップＳ１１８）、その後、プリペイドカード制御部１１４によってプリペイドカード１２８を排出させ（ステップＳ１１２）、一連の処理を終了する。
【００５３】
クレジットの残量がゼロより大きければ、ＣＰＵ１０２は、再度、プリペイドカード制御部１１４，プリペイドカード装着部１１２を介して、プリペイドカード１２８にアクセスし、プリペイドカード１２８から、記憶されているクレジットを所定数量分読み出し、メモリ１０４のテンポラリメモリ領域に記憶させる（ステップＳ１２０）。ここで、所定数量とは、１ラスタ分の印刷を行う際にユーザに課すべき金額に対応するクレジットの数量をいう。なお、読み出す際、プリペイドカード１２８に記憶されているクレジットが、所定数量に満たない場合には、残っている全てのクレジットを読み出すようにする。
【００５４】
次に、ＣＰＵ１０２は、読み出したクレジットの、テンポラリメモリ領域への記憶が正常に完了したか否かをチェックし（ステップＳ１２２）、正常に完了していない場合には、表示部１０８にエラー表示を行い（ステップＳ１２４）、その後、プリペイドカード制御部１１４によってプリペイドカード１２８を排出させ（ステップＳ１１２）、一連の処理を終了する。
【００５５】
ステップＳ１２２のチェックの結果、クレジットの記憶が正常に完了していれば、ＣＰＵ１０２は、プリペイドカード制御部１１４，プリペイドカード装着部１１２を介して、プリペイドカード１２８にアクセスし、プリペイドカード１２８からクレジットを所定数量分消去する（ステップＳ１２６）。この結果、プリペイドカード１２８内のクレジットの残量は、所定数量分減ることになる。
【００５６】
次に、図４において、ＣＰＵ１０２は、メモリ１０４のバッファメモリ領域から、記憶されている印刷ジョブデータのうち、所定量のデータを読み出す（ステップＳ２０２）。ここで、所定量とは、１ラスタ分のデータ量をいう。なお、記憶されている印刷ジョブデータのうち、読み出されずに残っているデータが、所定量に満たない場合には、残っている全てのデータを読み出す。
【００５７】
そして、ＣＰＵ１０２は、読み出すデータがあったか否かを判定し（ステップＳ２０４）、読み出すデータがあった場合には、読み出したデータについて、印刷処理を実行する（ステップＳ２０６）。具体的には、ＣＰＵ１０２は、読み出したデータに対して、色変換，ハーフトーン，画質補正などの画像処理を施し、その後、印刷制御部１２６が、処理後のデータに基づいて、インクジェットヘッド１２２及び印刷機構部１２４を制御して、印刷用紙に画像の印刷を行う。このとき、印刷制御部１２６は、インクジェットヘッド１２２に供給する駆動信号に基づいて、インクジェットヘッド１２２におけるヘッドショット数をカウントする。ヘッドショット数としては、インクジェットヘッド１２２の有する全ノズルのショット数を全てカウントする。このように、本実施例では、インクジェットヘッド１２２に供給する駆動信号に基づいて、インクジェットヘッド１２２におけるヘッドショット数をカウントすることによって、印刷装置１００において実際に行われた印刷の量に関係する値を測定し、導き出すようにしている。
【００５８】
読み出したデータ分について印刷が完了したら、ＣＰＵ１０２は、印刷制御部１２６から、カウントしたヘッドショット数を取得し（ステップＳ２０８）、取得したヘッドショット数から、消去すべきクレジットの数量を算出する（ステップＳ２１０）。具体的には、単位ヘッドショット数に対して、ユーザに課すべき金額に対応するクレジットの数量が、予め設定されており、その設定値に基づいて、クレジットの数量を計算する。なお、その設定を行う際には、例えば、ヘッドショット数１００００ショットを１クレジットとするなど、数値の丸めを行う。なぜなら、ヘッドショット数は非常に大きな値となるため、仮に、１ショット：１クレジットとすると、プリペイドカードに記憶されるクレジット残量の桁数が大きくなり過ぎるからである。
【００５９】
次に、ＣＰＵ１０２は、メモリ１０４のテンポラリメモリ領域から、クレジットを、算出した数量分消去する（ステップＳ２１２）。この結果、テンポラリメモリ領域内のクレジットの残量は、算出数量分減ることになる。
【００６０】
続いて、ＣＰＵ１０２は、メモリ１０４のテンポラリメモリ領域に記憶されているクレジットの残量と、前述の所定数量（１ラスタ分の印刷を行う際にユーザに課すべき金額に対応するクレジットの数量）と、を比較し、クレジットの残量が所定数量を超えていれば、処理をステップＳ２０２に戻し、メモリ１０４のバッファメモリ領域から、記憶されている印刷ジョブデータのうち、次の所定量のデータを読み出し、以下、前述と同様の処理を繰り返す。反対に、クレジットの残量が所定数量以下である場合には、処理を図３のステップＳ１１４に戻し、ＣＰＵ１０２は、プリペイドカード制御部１１４，プリペイドカード装着部１１２を介して、プリペイドカード１２８にアクセスし、再度、プリペイドカード１２８から記憶されているクレジットの残量を読み出し、以下、前述と同様の動作を繰り返す。
【００６１】
こうして、ＣＰＵ１０２は、メモリ１０４のバッファメモリ領域から印刷ジョブデータを所定量ずつ読み出しながら、画像の印刷を行い、印刷量（すなわち、ヘッドショット数）に応じて、プリペイドカード１２８からクレジットを引き落としていく。
【００６２】
その後、ＣＰＵ１０２は、ステップＳ２０４の判定の結果、バッファメモリ領域に記憶されている印刷ジョブデータが全て読み出されてしまったため、読み出したデータがない場合には、メモリ１０４のテンポラリメモリ領域から、記憶されているクレジットを全て読み出し、プリペイドカード制御部１１４，プリペイドカード装着部１１２を介して、プリペイドカード１２８にアクセスし、読み出したクレジットをプリペイドカード１２８に書き戻し（ステップＳ２１６）、一連の処理を終了する。
【００６３】
以上のようにして、印刷ジョブデータに基づいた画像印刷に対し、印刷量に応じたクレジットがプリペイドカード１２８から引き落とされたことになる。
【００６４】
Ｃ．実施例の効果：
以上説明したように、本実施例の印刷装置１００を導入することにより、ユーザに対する印刷に関する課金を、インクカートリッジ１２０などの消耗品販売によってではなく、プリペイドカード１２８の販売によって、行うことができる。そのため、消耗品をユーザに負担の少ない価格で流通させることができる。また、販売店については、消耗品の流通によって利益が得られなくても、プリペイドカードの販売によって利益を得ることができるため、消耗品の流通を促し、かつ、販売店にも利益をもたらすことが可能となる。さらに、今までの流通システムに変更を加える必要が無く、販売店や流通業者への不利益，負担がない。
【００６５】
また、印刷に関する課金をプリペイドカードを用いて行っているため、ユーザからの印刷に関する料金の徴収を、印刷前に行うことになり、料金を回収するための仕組みや、販売店へ利益還元するための仕組みなど、付帯管理システムの創出を必要とせず、システムの構築・管理・運用コストが要らない。
【００６６】
さらに、印刷に関する課金をプリペイドカードを用いて行っているため、例えば、印刷装置がインクカートリッジにインク残量が未だ多く残っている状態で故障していまい、その印刷装置を他の印刷装置に買い換えた場合に、元の印刷装置で使っていたインクカートリッジが新たな印刷装置で使えなかったとしても、インクカートリッジそのものが十分安価に供給されてさえいれば、ユーザは、損に感じることがない。
【００６７】
Ｄ．変形例：
なお、本発明は上記した実施例や実施形態に限られるものではなく、その要旨を逸脱しない範囲において種々の態様にて実施することが可能である。
【００６８】
上記した実施例において、印刷装置１００は、インクジェット複合機であったが、インクジェットプリンタであってもよいし、或いは、インクの代わりにトナーを用いるレーザ複合機やレーザプリンタであってもよい。
【００６９】
図５は、本発明の変形例として、印刷装置がレーザ複合機である場合の主要部の構成を示すブロック図である。レーザ複合機は、インクジェット複合機と、印刷方法が異なるため、実際の印刷に関係する各構成部も異なっている。すなわち、図５に示すように、この変形例の印刷装置は、半導体レーザや発光ダイオードなどから成り、光線を照射するための光源１４０と、照射された光線１４４を受光して、帯電させ、トナーなどを付着させる感光ドラム１４２を含むと共に、照射された光線１４４の走査や、感光ドラム１４２の回転駆動や、印刷用紙の感光ドラム１４２への圧着などを行う印刷機構部１２４’と、シアン，マゼンタ，イエロ，ブラックの各トナーが充填された４つのトナーカートリッジ１４６と、光源１４０及び印刷機構部１２４’を制御すると共に、各トナーカートリッジ１２６の内部に設けられたＩＣチップ１２６ａに対し、トナー残量などの情報を読み書きするための印刷制御部１２６’と、を備える。これら実際の印刷に関係する構成部以外の構成は、図１に示す構成と同様である。なお、この変形例において、光源１４０などは、請求項における印刷部に、感光ドラム１４２は、感光体に、それぞれ対応している。
【００７０】
この変形例では、印刷機構部１２４’は、ヘッドショット数をカウントする代わりに、光源１４０に供給する駆動信号に基づいて、光源１４０の発する光線１４４の照射時間を積算するようにしている。これによって、印刷装置において実際に行われた印刷の量に関係する値を測定し、導き出している。なお、当然ながら、この場合、ＣＰＵ１０２は、図４のステップＳ２０８において、印刷制御部１２６’から、積算した照射時間を取得し、ステップＳ２１０において、取得した照射時間から、消去すべきクレジットの数量を算出するようにする。
【００７１】
また、このような光線の照射時間を積算することに代えて、印刷ページ数に換算可能な照射量をカウントするようにして、印刷量に関係する値を測定するようにしてもよい。
【００７２】
上記した実施例においては、通常印刷以外の動作について、特に言及しなかったが、クレジットの引き落としの基準となるヘッドショット数は、あくまで、通常の印刷時に発生したヘッドショットの数であって、フラッシング，クリーニング，ノズルチェック印刷，Ｂｉ−Ｄ補正印刷など、通常の印刷以外で発生するヘッドショットの数は、クレジットの引き落としの基準となるヘッドショット数に含めない方がユーザビリティ上好ましい。
【００７３】
上記した実施例においては、各インクカートリッジ１２０の内部に設けられたＩＣチップ１２０ａについて、特に言及しなかったが、これらＩＣチップ１２０ａに記憶されているインク残量の情報を用いて、例えば、インクカートリッジ１２０のインクエンドが近い場合には、プリペイドカード１２８にクレジットが残っていても、印刷させないようにしたり、反対に、インクカートリッジ１２０にインクが十分残っていても、プリペイドカード１２８にクレジットが余り残っていない場合には、印刷させないようにしてもよい。
【００７４】
上記した実施例においては、メモリ１０４のバッファメモリ領域から印刷ジョブデータを所定量（すなわち、１ラスタ分のデータ量）ずつ読み出しながら、画像の印刷を行っており、所定量読み出して印刷した後に、プリペイドカード１２８内のクレジットの残量がなくなっていたら、印刷の途中であっても、クレジット残量なしを表示して（ステップＳ１１８）、プリペイドカード１２８を排出し（ステップＳ１２４）、印刷を中断することになる。しかしながら、このように、或るページの印刷の途中でプリペイドカードの入れ替えを行うために、印刷を中断させると、その印刷ページに色ムラが発生したり、印字不良が発生したりして、印刷品質が劣化する可能性があるため、そのように、或るページの印刷の途中で、プリペイドカード１２８内のクレジットの残量がなくなった場合でも、そのページについては、印刷が完了するまで、印刷を継続させるようにしてもよい。
【００７５】
上記した実施例では、ステップＳ２０２において、メモリ１０４のバッファメモリ領域から印刷ジョブデータを読み出す際、所定量として、１ラスタ分のデータ量を読み出すようにしていたが、本発明はこれに限定されるものではなく、例えば、１ページ分のデータ量を読み出すようにしてもよい。また、ステップＳ１２０またはＳ１２６において、プリペイドカード１２８からクレジットを所定数量読み出したり、消去したりする際、その所定数量を、１ラスタ分の印刷を行う際に課すべき金額に対応するクレジットの数量としていたが、これに代えて、１ページ分の印刷を行う際に課すべき金額に対応するクレジットの数量としてもよい。なお、メモリ１０４のバッファメモリ領域から印刷ジョブデータを読み出す際の所定量が、１ページ分のデータ量である場合は、プリペイドカード１２８からクレジットを読み出したり消去したりする際の所定数量を、１ページ分の印刷を行う際に課すべき金額に対応するクレジットの数量として、互いに、１ページ分として一致させることが好ましい。
【００７６】
上記した実施例においては、プリペイドカード１２８の詳細について、特に言及しなかったが、プリペイドカード１２８としては、以下のような種々のメディアが考えられる。  ・磁気カード
・ＩＣカード
・メモリカード
・光ディスク
・ＵＳＢメモリ（この場合、ＵＳＢホストコネクタに接続される。）
・無線タグ（この場合、非接触となるため、電気的なコネクタは不要となる。）
また、プリペイドカードとは、一般には代金前払いカードや料金先払いカードを言うが、本明細書においては、さらに、プリペイドカードには、リチャージ可能な電子マネーカード（例えば、ＳＵＩＣＡやＥｄｙ（何れも登録商標））なども含まれる。
【００７７】
なお、無線タグの場合、非接触でよいため、他のメディアのように、印刷装置１００に挿入したり、装着したり、接続したりする必要がなく、印刷装置１００からアクセスできる範囲、すなわち、無線の届く範囲に配置するようにすればよい。
【００７８】
また、プリペイドカード１２８は、同じメーカで製造された複合機やプリンタなどに対しては汎用であることが望ましい。プリペイドカード１２８を他の機種でも同様に使用することができれば、クレジットが無駄にならなくて済むからである。
【００７９】
また、プリペイドカード１２８としては、使い捨てカードであってもよいし、販売店の店頭などに設置された専用の端末でクレジットをチャージすることができる再使用可能なカードであってもよい。
【００８０】
また、専用の端末でクレジットをチャージする場合、チャージの通算が或る金額を超えると、割引サービスを行うようにしてもよい。割引サービスには、以下のものが考えられる。
・チャージした金額より１０％余分にクレジットを与える。
・インクカートリッジの割引券を発行する。
・複合機本体やプリンタ本体の割引券を発行する。
【００８１】
上記した実施例では、メモリカード１３０に記録された画像を印刷する場合を例として説明したが、複合機である印刷装置１００において、これ以外の印刷が実行されるモードとしては、次のモードがある。
・コンピュータに記憶された画像をＵＳＢ経由で印刷する場合
・カメラ付き携帯電話に記録された画像を印刷する場合（この場合、例えば、ＩｒＤＡまたはＢｌｕｅｔｏｏｔｈを通信手段として使用する。Ｂｌｕｅｔｏｏｔｈの場合はアダプタを、複合機のＵＳＢホストコネクタに接続する。）
・コピー実行の場合（すなわち、スキャナ部で読み取った画像を印刷する場合）
【００８２】
上記した実施例においては、表示部１０８に表示されるユーザインタフェースについて詳しく説明しなかったが、プリペイドカード１２８に記憶されているクレジットの残量を確認できるメニューを設けるようにしてもよい。また、プリペイドカード１２８を認識するタイミング（例えば、プリペイドカード１２８を挿入した時または挿入したまま印刷装置１００の電源がＯＮになった時）で、プリペイドカード１２８に、クレジットの残量を表示するようにしてもよい。また、印刷中にプリペイドカード１２８が抜かれたら、印刷を中止し、印刷用紙を排紙すると共に、表示部１０８に、「プリペイドカードが抜かれました。印刷を中止します。」というメッセージを数秒間表示するようにしてもよい。さらに、プリペイドカード１２８が未挿入の場合、表示部１０８の一部、例えば、インク残量が表示されている領域に、未挿入であることを示すアイコンを表示するようにしてもよい。その場合、そのアイコンをインク残量表示と並べて表示するようにしてもよいし、インク残量表示に代えて表示するようにしてもよい。
【００８３】
上記した実施例においては、印刷装置１００がプリペイドカード装着部１１２やプリペイドカード制御部１１４を内蔵するようにしていたが、これらを、別筐体のプリペイドカードリーダ・ライタとして、ＵＳＢホストコネクタを介して外部に接続するようにしてもよい。
【００８４】
上記した実施例においては、インクカートリッジ１２０について詳しく言及しなかったが、本実施例の印刷装置１００で用いられるインクカートリッジ１２０は、プリペイドカード１２８に対応していない複合機やプリンタでは用いることができないようにする方が好ましい。そのためには、例えば、本実施例の印刷装置１００で用いられるインクカートリッジ１２０の装着部の形状を変えて、プリペイドカード非対応の複合機等に物理的に装着できないようにしたり、あるいは、インクカートリッジ１２０の内部に設けられたＩＣチップ１２０ａに記憶された情報を利用して、本実施例の印刷装置１００で用いられるインクカートリッジ１２０が、プリペイドカード非対応の複合機等に装着された場合に、不正のインクカートリッジであると判断されるようにするなどの方法が考えられる。
【図面の簡単な説明】
【００８５】
【図１】本発明の一実施例としての印刷装置の構成を示すブロック図である。
【図２】図１の印刷装置で用いられるプリペイドカード及びインクカートリッジの販売ルートを説明するための説明図である。
【図３】図１の印刷装置で実行される課金・印刷処理の流れを示すフローチャートである。
【図４】図１の印刷装置で実行される課金・印刷処理の流れを示すフローチャートである。
【図５】本発明の変形例として、印刷装置がレーザ複合機である場合の主要部の構成を示すブロック図である。
【符号の説明】
【００８６】
１００…印刷装置
１０２…ＣＰＵ
１０４…メモリ
１０６…操作部
１０８…表示部
１１０…表示制御部
１１２…プリペイドカード装着部
１１４…プリペイドカード制御部
１１６…メモリカード接続部
１１８…メモリカード制御部
１２０…インクカートリッジ
１２０ａ…ＩＣチップ
１２２…インクジェットヘッド
１２４，１２４’…印刷機構部
１２６，１２６’…印刷制御部
１２８…プリペイドカード
１３０…メモリカード
１４０…光源
１４２…感光ドラム
１４４…光線
１４６…トナーカートリッジ
１４６ａ…ＩＣチップ
【図１】
0004835144.tif 000002
【図２】
0004835144.tif 000003
【図３】
0004835144.tif 000004
【図４】
0004835144.tif 000005
【図５】
0004835144.tif 000006